(57)【要約】【目的】  本発明の目的は、ボディの挿入口から塵や埃の侵入を低減することができる接続装置に提供することにある。【構成】  冷陰極蛍光ランプ１０（電子部品）のリード端子１２が、その長さ方向に対して略直交する方向に挿脱可能な挿脱口１１０を有する中空のボディ１００と、ボディ１００内に収容され、リード端子１２を挟持可能な第１、第２のクランプアーム２２０、２３０を有するコンタクト２００と、ボディ１００に、挿脱口１１０を閉塞する閉位置から当該挿脱口１１０を開放する開位置にかけて回動自在に設けられているカバー３００とを備える。【選択図】      図１
2008293855.tif 000002
【特許請求の範囲】
【請求項１】
電子部品のリード端子が、その長さ方向に対して略直交する方向に挿脱可能な挿脱口と、電子部品の本体部を収容可能な収容凹部とを有する中空のボディと、
このボディ内に収容され、リード端子を挟持可能な第１、第２のクランプアームを有するコンタクトと、
ボディに、挿脱口を閉塞する閉位置から当該挿脱口を開放する開位置にかけて回動自在に設けられるカバーとを備えることを特徴とする接続装置。
【請求項２】
請求項１記載の接続装置において、
前記カバーは、閉位置に位置したとき、収容凹部内の本体部に当接する押さえ部を有することを特徴とする接続装置。
【請求項３】
請求項１又は２記載の接続装置において、
カバーの押さえ部は弾性体であることを特徴とする接続装置。
【請求項４】
請求項１記載の接続装置において、
第１、第２のクランプアームは、互いに離れる方向に屈曲又は湾曲した第１、第２の屈曲部又は湾曲部と、この第１、第２の屈曲部又は湾曲部の先端部に連続しており且つ当該第１、第２の屈曲部又は湾曲部と反対方向に屈曲又は湾曲した第１、第２の把持部とを有しており、
カバーは、開位置に位置したとき、第１、第２のクランプアームの第１、第２の屈曲部又は湾曲部を互いに近づく方向に各々押圧する一方、閉位置に位置したとき、第１、第２の屈曲部又は湾曲部に対する押圧を解除する２つの押圧部を更に有しており、
第１、第２の屈曲部又は湾曲部が互いに近づく方向に各々押圧されると、第１、第２の把持部が互いに近づく方向に移動して交差し、その間にリード端子を挿入するための空間を形成する一方、第１、第２の屈曲部又は湾曲部が前記押圧から開放されると、第１、第２の把持部が互いに近づく方向に移動して前記空間が閉じ、第１、第２の把持部の間でリード端子を挟持するようになっていることを特徴とする接続装置。
【請求項５】
請求項１記載の接続装置において、
第１のクランプアームは固定片であり、
第２のクランプアームは、弾性変形可能な可動片であって、前記第１のクランプアームから離れる方向に屈曲又は湾曲した屈曲部又は湾曲部と、この屈曲部又は湾曲部の先端部に連続しており且つ当該屈曲部又は湾曲部と反対方向に屈曲又は湾曲した把持部とを有しており、
カバーは、開位置に位置したとき、第２のクランプアームの屈曲部又は湾曲部を第１のクランプアームに向けて押圧する一方、閉位置に位置したとき、第２のクランプアームの屈曲部又は湾曲部に対する押圧を解除する押圧部を更に有しており、
第２のクランプアームの屈曲部又は湾曲部が第１のクランプアームに向けて押圧されると、第２のクランプアームの把持部が第１のクランプアームに近づく方向に移動して当該第１のクランプアームに交差し、その間にリード端子を挿入するための空間を形成する一方、第２のクランプアームの屈曲部又は湾曲部が前記押圧から開放されると、第２のクランプアームの把持部が第１のクランプアームに近づく方向に移動して前記空間が閉じ、第２のクランプアームの把持部と第1のクランプアームとの間でリード端子を挟持するようになっていることを特徴とする接続装置。
【請求項６】
請求項４記載の接続装置において、
ボディは、挿脱口及び収容凹部の両側に設けられており且つ少なくとも前記押圧部が入出可能な２つのスリットと、このスリットの外側に設けられる２つの壁部とを更に有しており、
カバーは、挿脱口を閉塞する板体であり且つ押さえ部及び２つの押圧部が設けられる第１の板部と、ボディの壁部に軸支される軸部とを更に有しており、
押圧部は、厚肉部から第１の板部側に位置する薄肉部に向けて漸次低減するテーパー状の断面となっており、
カバーが開位置に位置したとき、厚肉部が第１、第２の屈曲部又は湾曲部を互いに近づく方向に押圧し、カバーが閉位置に位置したとき、薄肉部の間の空間内に第１、第２の屈曲部又は湾曲部が位置するようになっていることを特徴とする接続装置。
【請求項７】
請求項５記載の接続装置において、
ボディは、挿脱口及び収容凹部の両側に設けられる２つの壁部と、この壁部と挿脱口及び収容凹部との間のいずれか一方に設けられており且つ少なくとも前記押圧部が入出可能なスリットとを更に有しており、
カバーは、挿脱口を閉塞する板体であり且つ押さえ部及び押圧部が設けられる第１の板部と、ボディの壁部に軸支される軸部とを更に有しており、
前記押圧部は、厚肉部から第１の板部側に位置する薄肉部に向けて漸次低減するテーパー状の断面となっており、
カバーが開位置に位置したとき、厚肉部が第２のクランプアームの屈曲部又は湾曲部を第１のクランプアームに向けて押圧し、カバーが閉位置に位置したとき、薄肉部が屈曲部又は湾曲部に間隔を空けて対向するようになっていることを特徴とする接続装置。
【請求項８】
請求項４又は５記載の接続装置において、
２つの第１のクランプアームが、第２のクランプアームの両側に配設されていることを特徴とする接続装置。
【請求項９】
請求項４又は５記載の接続装置において、
２つの第２のクランプアームが、第１のクランプアームの両側に配設されていることを特徴とする接続装置。
【請求項１０】
請求項４又は５記載の接続装置において、
ボディが基板に実装可能になっており、
コンタクトは、前記ボディから基板の回路パターンに弾性接触可能に突出する接続部を更に有することを特徴とする接続装置。
【請求項１１】
請求項１０記載の接続装置において、
カバーは、挿脱口を閉塞する板体であり且つ押さえ部及び押圧部が設けられる第１の板部と、第１の板部の両端部に略直角に設けられる２つの第２の板部とを更に有し、
ボディは、挿脱口及び収容凹部の両側に設けられる２つのスリットと、このスリットの外側に設けられており且つ第２の板部を軸支する２つの壁部と、この壁部に設けられる２つの係止アームとを更に有しており、
係止アームの先端部には、基板の係止孔の縁部に係止可能な外側に凸の係止爪が設けられており、
第２の板部は、カバーが閉位置に位置したとき、２つのスリットに各々挿入され、２つの係止アームの基端部に内側から沿うようになっていることを特徴とする接続装置。
【請求項１２】
請求項２記載の接続装置において、
押さえ部は、挿脱口に挿入され、収容凹部内の電子部品に当接する突脈であることを特徴とする接続装置。
【発明の詳細な説明】
【技術分野】
【０００１】
本発明は、冷陰極蛍光ランプ等の電子部品のリード端子を電気接続するための接続装置に関する。
【背景技術】
【０００２】
この種の接続装置としては、冷陰極蛍光ランプ（電子部品）のリード端子が挿脱可能な挿脱口を有するボディと、このボディに収容されるコンタクトとを備え、前記コンタクトの第１、第２のクランプアームが冷陰極蛍光ランプのリード端子を挟持するようになっているものがある（特許文献１及び２参照）。
【０００３】
【特許文献１】特開２００６−３４４６０２号公報
【特許文献２】特開２００７−４８７１５号公報
【発明の開示】
【発明が解決しようとする課題】
【０００４】
ところが、前記ボディの挿脱口は開放されている。このため、前記接続装置は、塵や埃が侵入し易いというデメリットを有している。
【０００５】
本発明は、上記事情に鑑みて創案されたものであって、その目的とするところは、ボディの挿入口から塵や埃の侵入を低減することができる接続装置に提供することにある。
【課題を解決するための手段】
【０００６】
上記課題を解決するために、本発明の接続装置は、電子部品のリード端子が、その長さ方向と略直交する方向に挿脱可能な挿脱口と、電子部品の本体部を収容可能な収容凹部とを有する中空のボディと、このボディ内に収容され、リード端子を挟持可能な第１、第２のクランプアームを有するコンタクトと、ボディに、挿脱口を閉塞する閉位置から当該挿脱口を開放する開位置にかけて回動自在に設けられているカバーとを備えている。
【０００７】
前記カバーは、閉位置に位置したとき、収容凹部内の本体部に当接する押さえ部を有していることが好ましい。この場合、カバーが挿脱口を塞ぐと共に、当該カバーの押さえ部が本体部に当接することにより、当該本体部を収容凹部との間で保持するようになっている。このため、リード端子が第１、第２のクランプアームに挟持されている状態で、電子部品の本体部に脱方向の力が加わったとしても、本体部とリード端子との接合部のみに負荷がかかることがなく、当該本体部又はリード端子の破損を防止することができる。
【０００８】
カバーの押さえ部としては弾性体を用いることができる。この場合、電子部品の本体部の寸法交差を前記押さえ部により吸収することができる。
【０００９】
第１、第２のクランプアームは、互いに離れる方向に屈曲又は湾曲した第１、第２の屈曲部又は湾曲部と、この第１、第２の屈曲部又は湾曲部の先端部に連続しており且つ当該第１、第２の屈曲部又は湾曲部と反対方向に屈曲又は湾曲した第１、第２の把持部とを有する場合、カバーは、開位置に位置したとき、第１、第２のクランプアームの第１、第２の屈曲部又は湾曲部を互いに近づく方向に各々押圧する一方、閉位置に位置したとき、第１、第２の屈曲部又は湾曲部に対する押圧を解除する２つの押圧部を更に有する。第１、第２の屈曲部又は湾曲部が互いに近づく方向に各々押圧されると、第１、第２の把持部が互いに近づく方向に移動して交差し、その間にリード端子を挿入するための空間を形成する一方、第１、第２の屈曲部又は湾曲部が前記押圧から開放されると、第１、第２の把持部が互いに近づく方向に移動して前記空間が閉じ、第１、第２の把持部の間でリード端子を挟持するようになっている。
【００１０】
即ち、カバーを開位置に位置させると、当該カバーの押圧部が第１、第２のクランプアームの第１、第２の屈曲部又は湾曲部を互いに近づく方向に各々押圧することにより、第１、第２の把持部の間に前記空間が形成される。この空間に挿脱口を通じてリード端子を挿入する。その後、カバーを開位置から閉位置に回動させると、当該カバーの押圧部が第１、第２の屈曲部又は湾曲部に対する押圧を解除することにより、第１、第２の把持部の間の前記空間が閉じ、当該第１、第２の把持部がリード端子を挟持する。このようにカバーを操作するだけで、挿脱口の閉塞、電子部品の本体部の保持及びクランプアームの操作を同時に行うことができる。
【００１１】
ボディは、挿脱口及び収容凹部の両側に設けられており且つ少なくとも前記押圧部が入出可能な２つのスリットと、このスリットの外側に設けられる２つの壁部とを更に有する構成とすることができる。この場合、カバーは、挿脱口を閉塞する板体であり且つ押さえ部及び２つの押圧部が設けられる第１の板部と、ボディの壁部に軸支される軸部とを更に有している。押圧部は、厚肉部から第１の板部側に位置する薄肉部に向けて漸次低減するテーパー状の断面となっており、カバーが開位置に位置したとき、厚肉部が第１、第２の屈曲部又は湾曲部を互いに近づく方向に押圧し、カバーが閉位置に位置したとき、薄肉部の間の空間内に第１、第２の屈曲部又は湾曲部が位置するようになっている。
【００１２】
又は、第１のクランプアームが固定片であり、第２のクランプアームが、前記第１のクランプアームから離れる方向に屈曲又は湾曲した屈曲部又は湾曲部と、この屈曲部又は湾曲部の先端部に連続しており且つ当該屈曲部又は湾曲部と反対方向に屈曲又は湾曲した把持部とを有する弾性変形可能な可動片である場合、カバーは、開位置に位置したとき、第２のクランプアームの屈曲部又は湾曲部を第１のクランプアームに向けて押圧する一方、閉位置に位置したとき、第２のクランプアームの屈曲部又は湾曲部に対する押圧を解除する押圧部を更に有する。第２のクランプアームの屈曲部又は湾曲部が第１のクランプアームに向けて押圧されると、第２のクランプアームの把持部が第１のクランプアームに近づく方向に移動して当該第１のクランプアームに交差し、その間にリード端子を挿入するための空間を形成する一方、第２のクランプアームの屈曲部又は湾曲部が前記押圧から開放されると、第２のクランプアームの把持部が第１のクランプアームに近づく方向に移動して前記空間が閉じ、第２のクランプアームの把持部と第1のクランプアームとの間でリード端子を挟持するようになっている
【００１３】
即ち、カバーを開位置に位置させると、当該カバーの押圧部が第２のクランプアームの屈曲部又は湾曲部を第１のクランプアームに向けて押圧ことにより、第２のクランプアームの把持部と第１のクランプアームとの間に前記空間が形成される。この空間に挿脱口を通じてリード端子を挿入する。その後、カバーを開位置から閉位置に回動させると、当該カバーの押圧部が第２のクランプアームの屈曲部又は湾曲部に対する押圧を解除することにより、第２のクランプアームの把持部と第１のクランプアームとの間の前記空間が閉じ、第２のクランプアームの把持部と第1のクランプアームとがリード端子を挟持する。このようにカバーを操作するだけで、挿脱口の閉塞、電子部品の本体部の保持及びクランプアームの操作を同時に行うことができる。
【００１４】
ボディは、挿脱口及び収容凹部の両側に設けられる２つの壁部と、この壁部と挿脱口及び収容凹部との間のいずれか一方に設けられており且つ少なくとも前記押圧部が入出可能なスリットとを更に有する構成とすることができる。この場合、カバーは、挿脱口を閉塞する板体であり且つ押さえ部及び押圧部が設けられる第１の板部と、ボディの壁部に軸支される軸部とを更に有する。前記押圧部は、厚肉部から第１の板部側に位置する薄肉部に向けて漸次低減するテーパー状の断面となっており、カバーが開位置に位置したとき、厚肉部が第２のクランプアームの屈曲部又は湾曲部を第１のクランプアームに向けて押圧し、カバーが閉位置に位置したとき、薄肉部が屈曲部又は湾曲部に間隔を空けて対向するようになっている。
【００１５】
２つの第１のクランプアームが、第２のクランプアームの両側に配設されるようにすることもできるし、２つの第２のクランプアームが、第１のクランプアームの両側に配設されるようにすることもできる。
【００１６】
ボディが基板に実装可能になっている場合、コンタクトは、前記ボディから前記基板の回路パターンに弾性接触可能に突出する接続部を更に有することが好ましい。
【００１７】
この場合、カバーは、挿脱口を閉塞する板体であり且つ押さえ部及び押圧部が設けられる第１の板部と、第１の板部の両端部に略直角に設けられる２つの第２の板部とを更に有し、ボディは、挿脱口及び収容凹部の両側に設けられる２つのスリットと、このスリットの外側に設けられており且つ第２の板部を軸支する２つの壁部と、この壁部に設けられる２つの係止アームとを更に有する。係止アームの先端部には基板の係止孔の縁部に係止可能な外側に凸の係止爪が設けられており、第２の板部は、カバーが閉位置に位置したとき、２つのスリットに各々挿入され、２つの係止アームの基端部に内側から沿うようになっている。
【００１８】
この場合、ボディの係止アームの係止爪が基板の係止孔の縁部に係止された状態で、ボディがコンタクトの接続部に基板から離れる方向に付勢されると、係止アームが接続部の付勢力に負けて内側に変位する。この係止アームの内側への変位が、当該係止アームの基端部に内側から沿うカバーの第２の板部によって防止され、係止アームの係止孔からの脱落が防止される。
【００１９】
押さえ部は、挿脱口に挿入され、収容凹部内の電子部品に当接する突脈であることが好ましい。このように押さえ部が挿脱口に挿入され、当該挿脱口を塞ぐことから、挿脱口からの塵や埃が浸入するのを防止する上でメリットがある。
【発明の効果】
【００２０】
本発明の接続装置による場合、カバーでボディの挿脱口を塞ぐことができるので、挿脱口から塵や埃がボディ内に侵入するのを防止することができる。
【発明を実施するための最良の形態】
【００２１】
以下、本発明の実施の形態に係る接続装置について図面を参照しながら説明する。図１は本発明の実施の形態に係る接続装置の概略的斜視図であって、(ａ)が電子部品接続前の状態を示す図、(ｂ)が電子部品接続後の状態を示す図、図２は同装置の概略的分解斜視図、図３は同装置のボディを示す図であって、（ａ）が正面図、（ｂ）が背面図、（ｃ）が側面図、（ｄ）が平面図、（ｅ）が底面図、図４は同装置のコンタクトを示す図であって、（ａ）が正面図、（ｂ）が左側面図、（ｃ）が右側面図、（ｄ）が平面図、（ｅ）が底面図、図５は同装置のカバーを示す図であって、（ａ）が正面図、（ｂ）が背面図、（ｃ）が側面図、（ｄ）が平面図、（ｅ）が底面図、（ｆ）が下方から見た斜視図、図６は図１のＡ−Ａ断面図、図７は同装置のＢ−Ｂ断面図であって、（ａ）がカバー閉状態を示す図、（ｂ）カバー開状態を示す図、（ｃ）がカバー閉状態であり且つリード端子が接続された状態を示す図、図８は同装置のＣ−Ｃ断面図であって、（ａ）がカバー閉状態を示す図、（ｂ）カバー開状態を示す図、図９は同装置のコンタクトの設計変更例を示す概略的斜視図であって、（ａ）が第１、第２のクランプアームを一つずつ有する例を示す図、（ｂ）は２つの第１のクランプアームが固定片であり、第２のクランプアームが可動片である例を示す図、（ｃ）は第１のクランプアームが固定片であり、第２のクランプアームが可動片である例を示す図である。
【００２２】
ここに掲げる接続装置は、冷陰極蛍光ランプ１０（電子部品）のソケットであって、冷陰極蛍光ランプ１０のリード端子１２が、その長さ方向に対して略直交する方向に挿脱可能な挿脱口１１０を有する中空のボディ１００と、このボディ１００内に収容され、挿脱口１１０から挿入されたリード端子１２を挟持するコンタクト２００と、ボディ１００に、図１（ａ）に示す挿脱口１１０を閉塞する閉位置から図１（ｂ）に示す当該挿脱口１１０を開放する開位置にかけて回動自在に設けられているカバー３００とを備えている。以下、各部について詳しく説明する。
【００２３】
冷陰極蛍光ランプ１０は、図１に示すように、円柱状のランプ部１１（本体部）と、このランプ部１１の長さ方向の両端部から突出する円柱状の２つのリード端子１２（図示一つ）とを有している。
【００２４】
ボディ１００は、図１、図２及び図３に示すように、基板２０に実装される略矩形状の樹脂成形品であって、その内部にコンタクト２００を収容する収容空間αが設けられている。
【００２５】
この収容空間αは、図３（ｅ）及び図６に示すように、コンタクト２００が圧入される。また、収容空間αの底部がコンタクト２００の接続部を下方に突出させるために開放されている。
【００２６】
このボディ１００の上端部の中央部には、図１、図２、図３（ｄ）、図７及び図８に示すように、冷陰極蛍光ランプ１０の一方のリード端子１２が挿脱可能な挿脱口１１０と、この挿脱口１１０と連通しており且つ冷陰極蛍光ランプ１０のランプ部１１の長さ方向の一方の端部を収容可能な収容凹部１２０とが設けられている。
【００２７】
挿脱口１１０は収容空間αと連通している。この挿脱口１１０の両縁部は、リード端子１２を当該挿脱口１１０に導くために、下方に向けて暫時低減するテーパー状の断面形状となっている。収容凹部１２０の両縁部は、下方に向けて暫時低減するテーパー状の断面形状となっている。
【００２８】
ボディ１００の背面部の中央部には、図３（ｂ）及び（ｄ）に示すように、挿脱口１１０及び収容空間αと連通する切欠き部１３０が設けられている。
【００２９】
ボディ１００の挿脱口１１０、収容凹部１２０及び収容空間αの両側部及びボディ１００の背面部の切欠き部１３０の両側部には、図１、図２、図３（ｂ）、図３（ｄ）、図７及び図８に示すように、カバー３００の２つの押圧部３３０及び第２の板部３２０が入出可能な２つのスリット１４０が設けられている。
【００３０】
このスリット１４０は、カバー３００の第２の板部３２０の基端部及び押圧部３３０が入出可能な幅広部１４１と、この幅広部１４１に連続しており且つカバー３００の第２の板部３２０の先端部が入出可能な幅狭部１２４とを有する。幅狭部１４２の内側の壁面には、図３（ｂ）に示すように、突脈状の係止凸部１４２ａがボディ１００の長さ方向に向けて設けられている。この係止凸部１４１は、カバー３００が閉位置に位置したとき、当該カバー３００の係止凹部３２２に係止される。
【００３１】
ボディ１００の幅方向の両壁部には、カバー３００の２つの軸部３２１を軸支する円柱状の２つの軸支孔１５０が設けられている。また、ボディ１００の幅方向の両壁部には、２つの係止アーム１６０が下方に向けて設けられている。
【００３２】
係止アーム１６０は、ボディ１００の幅方向の壁部から切り出された基端部と、外側に凸の係止爪１６１を有する先端部とを有する。この係止アーム１６０の先端部の係止爪１６１が、図８に示すように、基板２０の係止孔２１の縁部に係止される。
【００３３】
コンタクト２００は、図２、図４、図６及び図７に示すように、略矩形状のベース板２１０と、このベース板２１０の長さ方向の一端部の上端部に設けられる２つの第１クランプアーム２２０及びこの第１のクランプアーム２２０の間に設けられる第２のクランプアーム２３０と、ベース板２１０の長さ方向の他端部の上端部に設けられる２つの接続部２４０とを有する。
【００３４】
接続部２４０は、下方に向けて略Ｃ字状に湾曲している。この接続部２４０の先端部は、ベース板２１０の下端より下方に位置しており、基板２０上の図示しない回路パターンに弾性接触するようになっている。
【００３５】
ベース板２１０の長さ方向の他端部の下端部は、弾性変形した接続部２４０との干渉を避けるために凹状に切り欠かれている。このベース板２１０が収容空間αに圧入されることにより、図６に示すように、第１、第２のクランプアーム２２０、２３０が、収容空間αの挿脱口１１０の下方空間内に位置し、接続部２４０が収容空間αの収容凹部１２０の下方空間内に位置する。
【００３６】
２つの第１のクランプアーム２２０は、略く字状の第１の屈曲部２２１と、この第１の屈曲部２２１の先端に連続しており且つ第１の屈曲部２２１と反対方向に向けて折り曲げられた第１の把持部２２２とを各々有している。
【００３７】
第２のクランプアーム２３０は、略逆く字状(即ち、第１の屈曲部２２１と反対方向に向けて折り曲げられている。)の第２の屈曲部２３１と、この第２の屈曲部２３１の先端に連続しており且つ当該第２の屈曲部２３１と反対方向に向けて折り曲げられた第２の把持部２３２とを有している。
【００３８】
２つの第１の屈曲部２２１と第２の屈曲部２３１とは、その上側の直線部が基板２０と略平行になるように折り曲げられている。この２つの第１の屈曲部２２１の上側の直線部の長さ寸法と第２の屈曲部２３１の上側の直線部の長さ寸法とは、図７（ａ）に示すように、２つの第１の屈曲部２２１と第２の屈曲部２３１とが初期状態で交差しないような長さであり、且つ図７（ｂ）に示すように、当該２つの第１の屈曲部２２１と第２の屈曲部２３１とがカバー３００の２つの押圧部３３０に押圧されることにより、互いに交差し、２つの第１の把持部２２２と第２の把持部２３２との間にリード端子１２を挿入するための空間Ｘを形成するような長さとなっている。
【００３９】
カバー３００は、図１、図２、図５、図６、図７及び図８に示すように、ボディ１００の挿脱口１１０を開閉する第１の板部３１０と、この第１の板部３１０の両端部に略直角に設けられる２つの第２の板部３２０と、第１の板部３１０の両端部の２つの第２の板部３２０内側部分に当該第２の板部３２０と一体的に設けられる２つの押圧部３３０と、第１の板部３１０の中央部に設けられた押さえ部３４０とを有している。
【００４０】
第２の板部３２０は長さ寸法が第１の板部３１０よりも短い矩形状の板体である。この第２の板部３２０の外側面の長さ方向の一端部には、ボディ１００の軸支孔１５０に軸支される円柱状の軸部３２１が設けられている。この軸部３２１を軸にカバー３００が閉位置から開位置にかけて回動すると共に、第２の板部３２０がボディ１００のスリット１４０に入出する。図８（ａ）に示すように、カバー３００が閉位置に位置したとき、第２の板部３２０は、ボディ１００の壁部及び係止アーム１６０の基端部に沿い当接する。これにより、係止アーム１６０の内側への変位を防止している。
【００４１】
第２の板部３２０の内側面の長さ方向の他端部には、長尺状の係止凹部３２２が第２の板部３２０の長さ方向に向けて設けられている。係止凹部３２２は、カバー３００が閉位置に位置したとき、ボディ１００の係止凸部１４１が嵌まり込むようになっている。これにより、カバー３００が閉位置に位置した状態でロックされる。
【００４２】
押圧部３３０は、第２の板部３２０の長さ方向の一端部側に偏在する略１／４円弧状の部材であって、カバー３００の回動に応じて、第２の板部３２０と共にボディ１００のスリット１４０の幅広部１４１に入出するようになっている。なお、第２の板部３２０及び押圧部３３０がボディ１００のスリット１４０に入っている状態とは、図７（ａ）、図７（ｃ）及び図８（ａ）に示すように、第２の板部３２０及び押圧部３３０全体がスリット１４０に内に位置する状態を言う。また、第２の板部３２０及び押圧部３３０がボディ１００のスリット１４０から出ている状態とは、図１（ａ）、図７（ｂ）及び図８（ｂ）に示すように、第２の板部３２０及び押圧部３３０の一部がスリット１４０から出ている状態をいう。
【００４３】
この押圧部３３０は、第１の板部３１０から最も遠い部位である厚肉部３３１から第１の板部３１０に最も近い薄肉部３３２に漸次低減するテーパー状の断面形状となっている。
【００４４】
カバー３００が開位置に位置したとき、図７（ｂ）に示すように、一方の厚肉部３３１が２つの第１のクランプアーム２２０の第１の屈曲部２２１を内側に押圧し、他方の厚肉部３３１が第２のクランプアーム２３０の第２の屈曲部２３１と内側に押圧する（即ち、２つの第１の屈曲部２２１と、第２の屈曲部２３１とが互いに近づく方向に押圧される。）。  
【００４５】
カバー３００が閉位置に位置したとき、図７（ａ）に示すように、一方の薄肉部３３２が２つの第１のクランプアーム２２０の第１の屈曲部２２１に間隔を空けて対向し、他方の薄肉部３３２が第２のクランプアーム２３０の第２の屈曲部２３１に間隔を空けて対向する（即ち、２つの第１の屈曲部２２１と、第２の屈曲部２３１とが薄肉部３３２の間の空間に位置し、前記押圧が解除される。）。
【００４６】
第１の板部３１０はボディ１００の上端面全体を覆う大きさとなっている。
【００４７】
押さえ部３４０は、図５、図６及び図７に示すように、第１の板部３１０の長さ方向の全域に渡る突脈である。この押さえ部３４０は、カバー３００が閉位置に位置したとき、先端部がボディ１００の収容凹部１２０内のランプ部１１に当接し当該ランプ部１１を押さえると共に、基端部がボディ１００の挿脱口１１０に嵌まり込むようになっている。
【００４８】
以下、このような構成の接続装置の組み立て手順及び基板２０への実装手順について説明する。まず、コンタクト２００のベース板２１０を、ボディ１００の収容空間αに位置合わせをしつつ圧入する。これにより、コンタクト２００が収容空間αに収容される。
【００４９】
その後、カバー３００の２つの第２の板部３２０及び押圧部３３０を、ボディ１００の２つのスリット１４０に位置合わせしつつ挿入する。そして、２つの第２の板部３２０の軸部３２１をボディ１００の両壁部の軸支孔１５０に嵌め込む。これによりカバー３００がボディ１００に回動自在に取り付けられる。
【００５０】
その後、カバー３００を開位置に位置させた状態で、ボディ１００の２つの係止アーム１６０を、基板２０の２つの係止孔２１に位置合わせしつつ挿入する。すると、２つの係止アーム１６０の係止爪１６１が２つの係止孔２１の縁部に当接し、当該２つの係止アーム１６０が内側に弾性変形する。そして、係止爪１６１が係止孔２１の縁部を乗り越えると、係止アーム１６０の復帰力により、係止爪１６１が係止孔２１の縁部に係止される。これにより接続装置が基板２０上に実装される。
【００５１】
このとき、コンタクト２００の接続部２４０が基板２０上の回路パターンに弾性接触し、当該回路パターンに電気的に接続される。
【００５２】
以下、このように組み立てられた接続装置に冷陰極蛍光ランプ１０を接続する手順について説明すると共に、接続装置の各部の動作について説明する。
【００５３】
まず、図８（ｂ）に示すように、カバー３００を開位置に位置させる。すると、カバー３００の２つの第２の板部３２０及び押圧部３３０がボディ１００の２つのスリット１４０から出る。
【００５４】
このとき、図７（ｂ）に示すように、カバー３００の一方の押圧部３３０の厚肉部３３１が２つの第１のクランプアーム２２０の第１の屈曲部２２１を内側に押圧し、他方の押圧部３３０の厚肉部３３１が第２のクランプアーム２３０の第２の屈曲部２３１を内側に押圧する。これにより、２つの第１の屈曲部２２１と第２の屈曲部２３１とが互いに近づく方向に移動すると共に、２つの第１の把持部２２２と第２の把持部２３２とが互いに近づく方向に移動して交差し、そして互いに離れる方向に移動し、その間に空間Ｘを形成する。
【００５５】
この状態で、冷陰極蛍光ランプ１０のランプ部１１がボディ１００の収容凹部１２０に、冷陰極蛍光ランプ１０のリード端子１２をボディ１００の挿脱口１１０に位置合わせしつつ挿入する。すると、リード端子１２が空間Ｘに挿入される。
【００５６】
その後、カバー３００を開位置から閉位置にかけて回動させる。すると、図８（ａ）に示すように、カバー３００の２つの第２の板部３２０及び押圧部３３０がボディ１００の２つのスリット１４０に各々入り込み、当該第２の板部３２０がボディ１００の両壁部及び２つの係止アーム１６０の基端部に各々内側から当接する。これと共に、カバー３００の押さえ部３４０がボディ１００の挿脱口１１０に嵌まり込み、収容凹部１２０内の冷陰極蛍光ランプ１０のランプ部１１に当接する。
【００５７】
このとき、図７（ｃ）に示すように、一方の押圧部３３０の厚肉部３３１の２つの第１のクランプアーム２２０の第１の屈曲部２２１に対する押圧が解除され、当該押圧部３３０の薄肉部３３２が２つの第１のクランプアーム２２０の第１の屈曲部２２１に間隔を空けて対向する。これと共に、他方の押圧部３３０の厚肉部３３１の第２のクランプアーム２３０の第２の屈曲部２３１に対する押圧が解除され、当該押圧部３３０の薄肉部３３２が第２のクランプアーム２３０の第２の屈曲部２３１に間隔を空けて対向する。
【００５８】
すると、２つの第１のクランプアーム２２０及び第２のクランプアーム２３０自身の復帰力により、２つの第１の屈曲部２２１と第２の屈曲部２３１とが互いに離れる方向に移動する一方、２つの第１の把持部２２２と第２の把持部２３２とが互いに近づく方向に移動する。これにより空間Ｘが閉じ、当該空間Ｘに挿入されたリード端子１２が２つの第１の屈曲部２２１と第２の屈曲部２３１との間で挟持される。これにより、リード端子１２がコンタクト２００及び基板２０に電気的に接続される。
【００５９】
カバー３００が閉位置に位置すると、カバー３００の２つの係止凹部３２２が、ボディ１００の２つのスリット１４０の係止凸部１４１に係止される。これにより、カバー３００が閉位置でロックされる。
【００６０】
冷陰極蛍光ランプ１０を取り外すときには、カバー３００を閉位置から開位置にかけて回動させる。すると、カバー３００の２つの係止凹部３２２と、ボディ１００の２つのスリット１４０の係止凸部１４１との係止が解除される。そして、カバー３００の２つの第２の板部３２０及び押圧部３３０がボディ１００の２つのスリット１４０から出る。これと共に、カバー３００の押さえ部３４０がボディ１００の挿脱口１１０から出て、収容凹部１２０内の冷陰極蛍光ランプ１０のランプ部１１との当接が解除される。
【００６１】
このとき、カバー３００の一方の押圧部３３０の厚肉部３３１が２つの第１のクランプアーム２２０の第１の屈曲部２２１を内側に押圧し、他方の押圧部３３０の厚肉部３３１が第２のクランプアーム２３０の第２の屈曲部２３１を内側に押圧する。すると、２つの第１の屈曲部２２１と第２の屈曲部２３１とが互いに近づく方向に移動すると共に、２つの第１の把持部２２２と第２の把持部２３２とが互いに離れる方向に移動する。これにより、空間Ｘが開き、２つの第１の把持部２２２と第２の把持部２３２とによるリード端子１２の挟持が解除される。
【００６２】
その後、リード端子１２をボディ１００の挿脱口１１０から引き抜く。
【００６３】
このような接続装置による場合、押さえ部３４０が挿脱口１１０に嵌まり込み、当該挿脱口１１０を塞ぐようになっているので、挿脱口１１０から塵や埃が浸入するのを防止することができる。また、カバー３００の押さえ部３４０が収容凹部１２０内の冷陰極蛍光ランプ１０のランプ部１１に当接して当該収容凹部１２０との間でランプ部１１を保持するようになっている。このため、ランプ部１１に脱方向の力が加わったとしても、ランプ部１１とリード端子１２の接合部である封止部のみに負荷がかかるのを防止することができ、ランプ部１１又はリード端子１２の破損を防止することができる。
【００６４】
しかも、カバー３００を回動させるだけで、挿脱口１１０の閉開と、ランプ部１１の保持、その解除と、コンタクト２００の第１、第２のクランプアーム２２０、２３０のリード端子１２の挟持、その解除とを同時に行うことができるので、冷陰極蛍光ランプ１０のリード端子１２の挿脱を容易に行うことができる。
【００６５】
また、カバー３００の２つの第２の板部３２０がボディ１００の両壁部及び２つの係止アーム１６０の基端部に内側から当接するようになっている。このため、コンタクト２００の接続部２４０が基板２０に接続された状態で、ボディ１００を上方に付勢することにより、係止アーム１６０が前記付勢力に負けて内側に変位し、基板２０の係止孔２１から脱落するのが防止される。
【００６６】
なお、上記接続装置は、電子部品のリード端子が、その長さ方向に対して略直交する方向に挿脱可能な挿脱口と、電子部品の本体部を収容可能な収容凹部とを有する中空のボディと、このボディ内に収容され、リード端子を挟持可能な第１、第２のクランプアームを有するコンタクトと、ボディに、挿脱口を閉塞する閉位置から当該挿脱口を開放する開位置にかけて回動自在に設けられているカバーとを備える限りどのような設計変更を行ってもかまわない。
【００６７】
ボディ１００は、前記挿脱口を有しており且つ内部に前記コンタクトを収容し得るものである限り任意に設計変更することが可能である。
【００６８】
コンタクト２００については、電子部品のリード端子を挟持し得る一つの第１、第２のクランプアームを有するものである限り任意に設計変更することが可能である。
【００６９】
例えば、第１、第２のクランプアームは、カバーが開位置に位置したとき、カバーの押圧部の押圧が解除され、両者の間でリード端子を挿入する空間が形成される一方、カバーが閉位置に位置したとき、当該カバーの押圧部に押圧され、前記空間が閉じ、第１、第２のクランプアームの間でリード端子を挟持するように構成することもできる。
【００７０】
また、コンタクト２００は、図９（ａ）に示すように、第１、第２のクランプアーム２２０、２３０を一つずつ有する構成とすることができるし、各々それ以上有する構成とすることもできる。
【００７１】
また、図９（ｂ）及び（ｃ）に示すように、第１のクランプアーム２２０’を板状の固定片とすることができる。この場合、第２のクランプアーム２３０’の屈曲部２３１’がカバー３００の押圧部３３０に押圧されることにより、第２のクランプアーム２３０’の把持部２３２’が第１のクランプアーム２２０’に近づく方向に移動して当該第１のクランプアーム２２０’に交差し、その間にリード端子１２を挿入するための空間を形成する一方、第２のクランプアーム２３０’の屈曲部２３１’が前記押圧から開放されると、第２のクランプアーム２３０’の把持部２３２’が第１のクランプアーム２２０’に近づく方向に移動して前記空間が閉じ、第２のクランプアーム２３０’の把持部２３２’と第1のクランプアーム２２０’との間でリード端子１２を挟持するようになっている。
【００７２】
第１、第２の屈曲部２２１、２３１及び第１、第２の把持部２２２、２３２については、湾曲形状とすることも可能である。第１、第２の屈曲部２２１、２３１及び把持部２２２、２３２は、屈曲形状のもの及び湾曲形状のものを組み合わせることもできる。屈曲部２３１’及び把持部２３２’についても同様である。
【００７３】
接続部２４０については、基板２０に電気的に接続し得るものであれば、どのような設計変更を行ってもかまわない。例えば、基板２０にスルーホールが設けられている場合、前記接続部を前記スルーホールに挿入可能な直線状の板状体とすることができるし、前記接続部を基板２０の回路パターンに接触し表面実装可能な鉤状体とすることもできるし、前記接続部を基板２０の回路パターン又はその他の電子部品等と接続するためのリード線が圧着可能な形状とすることもできる。
【００７４】
カバー３００については、ボディの挿脱口を開閉することができる限り任意に設計変更することが可能である。
【００７５】
第２の板部３２０については、設けるか否かは任意である。第２の板部３２０を設けない場合には、押圧部３３０をボディ１００の両壁部に軸支させるようにすれば良い。また、第２の板部３２０と押圧部３３０とは一体的に設けられているとしたが、別体とすることも可能である。この場合、第２の板部３２０をボディ１００の両壁部の外面に軸支させるように設計変更することもできる。
【００７６】
軸部３２１については、第２の板部３２０に設けられるとしたが、これに限定されるものではない。例えば、第１の板部３１０の両端部に設けるようにしても良いし、押圧部３３０に設けるようにしても良い。また、前記軸部は、別体とすることもできるし、ボディ１００の両端部に設けることもできる。
【００７７】
押圧部３３０については、前記カバーが開位置に位置したとき、クランプアームを押圧又はクランプアームに対する押圧を解除し、前記カバーが閉位置に位置したとき、前記クランプアームに対する押圧を解除又はクランプアームを押圧し得るものである限り任意に設計変更することが可能である。この押圧部は、上述の如く、第１のクランプアームが固定片である場合には、一つあれば良い。
【００７８】
押さえ部３４０については、突脈であるとしたが、これに限定されるものではなく、前記収容凹部内の電子部品本体に当接し、当該収容凹部との間で電子部品本体を保持し得るものである限りどのようなものを用いても構わない。
【００７９】
例えば、カバー３００の第１の板部３１０の一部を前記押さえ部とすることもできるし、板バネ等のバネ材や弾性樹脂等の弾性体とすることもできる。押さえ部として弾性体を用いた場合、電子部品の寸法交差を前記押さえ部の弾性変形により吸収することができると共に、電子部品に掛かる負荷も吸収することが可能である。
【００８０】
なお、上記接続装置は、冷陰極蛍光ランプのソケットであるとして説明したが、これに限定されるものではなく、リード端子と基板とを電気接続するコネクタ等のその他の接続装置として適応可能であることはいう迄もない。
【図面の簡単な説明】
【００８１】
【図１】本発明の実施の形態に係る接続装置の概略的斜視図であって、(ａ)が電子部品接続前の状態を示す図、(ｂ）が電子部品接続後の状態を示す図である。
【図２】同装置の概略的分解斜視図である。
【図３】同装置のボディを示す図であって、（ａ）が正面図、（ｂ）が背面図、（ｃ）が側面図、（ｄ）が平面図、（ｅ）が底面図である。
【図４】同装置のコンタクトを示す図であって、（ａ）が正面図、（ｂ）が左側面図、（ｃ）が右側面図、（ｄ）が平面図、（ｅ）が底面図である。
【図５】同装置のカバーを示す図であって、（ａ）が正面図、（ｂ）が背面図、（ｃ）が側面図、（ｄ）が平面図、（ｅ）が底面図、（ｆ）が下方から見た斜視図である。
【図６】図１のＡ−Ａ断面図である。
【図７】同装置のＢ−Ｂ断面図であって、（ａ）がカバー閉状態を示す図、（ｂ）カバー開状態を示す図、（ｃ）がカバー閉状態であり且つリード端子が接続された状態を示す図である。
【図８】同装置のＣ−Ｃ断面図であって、（ａ）がカバー閉状態を示す図、（ｂ）カバー開状態を示す図である。
【図９】同装置のコンタクトの設計変更例を示す概略的斜視図であって、（ａ）が第１、第２のクランプアームを一つずつ有する例を示す図、（ｂ）は２つの第１のクランプアームが固定片であり、第２のクランプアームが可動片である例を示す図、（ｃ）は第１のクランプアームが固定片であり、第２のクランプアームが可動片である例を示す図である。
【符号の説明】
【００８２】
１００    ボディ
１１０    挿脱口
１２０    収容凹部
１４０    スリット
１６０    係止アーム
１６１    係止爪
２００    コンタクト
２２０    第１のクランプアーム
２２１    第１の屈曲部
２２２    第１の把持部
２３０    第２のクランプアーム
２３１    第２の屈曲部
２３２    第２の把持部
２４０    接続部
３００    カバー
３１０    第１の板部
３２０    第２の板部
３２１    軸部
３３０    押圧部
３３１    厚肉部
３３２    薄肉部
３４０    押さえ部
Ｘ        空間
１０      冷陰極蛍光ランプ（電子部品）
１２      リード端子
２０      基板
２１      係止孔
【図１】
2008293855.tif 000003
【図２】
2008293855.tif 000004
【図３】
2008293855.tif 000005
【図４】
2008293855.tif 000006
【図５】
2008293855.tif 000007
【図６】
2008293855.tif 000008
【図７】
2008293855.tif 000009
【図８】
2008293855.tif 000010
【図９】
2008293855.tif 000011